(57)【要約】      （修正有）【課題】現在の洋式便器は腰掛けるので力みにくく、そのため便秘になりやすい。一方、和式便器は疲れ、立つときにふらつくし、水洗の飛沫で便器の周囲や脚を汚すので、住居用和式便器の製造は中止されたまま、課題として残されている。【解決手段】洋式便器で和式の姿勢がとれるよう台に足を載せるもので、構造は極めて簡単で、自然に便意が促される効果がある。小用のついでにも試みることができ、便秘の予防になり、課題を解決できる。便器と一体のもの、可動式のもの、コルセット状の装着品、分割した単体、折り畳み式の単体がある。【選択図】図１
2005330800.tif 000002
【特許請求の範囲】
【請求項１】
洋式便器の便座にふつうに腰掛けて、左右の足裏を載せる台。
【請求項２】
洋式便器の本体と一体成型し、左右の足裏を載せる「請求項１」の台。（図１、図２）
【請求項３】
便器本体に引掛けるように嵌め込むか、対の凹と凸を付けて差し込んで、洋式便器の本体の左右を、水平に、前後に動かせる足裏を載せる「請求項１」の台。（図３）
【請求項４】
便器の後部に収めた台の端を支点にして、水平または垂直に回転させ、ストッパーで固定して足裏を載せる「請求項１」の台。（図４、図５）
【請求項５】
便器の前部に垂直に収めた左右の台の内側を支点にして、垂直に上方に回転させて、ストッパーで固定する足裏を載せる「請求項１」の台。（図６）
【請求項６】
便器の後部床面に収めた左右の台を、直線的か曲線的に押し上げ、ストッパーで固定する足裏を載せる「請求項１」の台。（図７）
【請求項７】
「請求項２」から「請求項６」までの場合において、高さを２〜３段階変え、使用時に固定する「請求項１」の台。
【請求項８】
「請求項２」から「請求項６」までの可動式の台を便器本体に密着させず、便器前方から後方に、マスク状に着脱できる厚いコルセット状の「請求項１」の台付きの装着品。
【請求項９】
足裏を載せる台を洋式便器の本体から分割して、便器の左右の床面に置いて使用する上板・下板（掌サイズから足サイズ）、支柱から成る「請求項１」の単体の台。（図８）
【請求項１０】
台を単体として本体から分割して、台の上板・下板と、１ないし複数の板状や筒状から成る支柱のそれぞれに、対の凹凸を付けて挿し込み、ストッパーまたは粘着テープで固定する「請求項１」の台。（図９）
【請求項１１】
▲１▼  台を単体として本体から分割し、台の上板と、同程度の大きさの下板のそれぞれの先端を支点にして回転し、折り畳める方式にした「請求項１」の台。（図１０）
▲２▼  台の平らな上板と下板を棒状の副支柱２で支えて、ストッパー付きの副支柱を、上板・下板に折り畳む「請求項１」の台。（図１１）
▲３▼  図１０の三角形部と一体化した上板・下板を、板状・筒状で伸縮も可能な支柱の中程で挿し込むか、折り畳む「請求項１」の台。（図１２の上半分の部分）
【請求項１２】
「請求項７」から「請求項９」までの場合において、下板の裏底に、歯を挿し込んで調整できる「請求項１」の台。（図１２）
下板の裏底の溝および歯の挿し込み部には、対の凹凸を付ける。その溝は、直線状、曲線状、Ｖ字状、Ｕ字状や波形など各種あり、溝の方向も、直線状（縦方向・横方向）や斜線状など各種。歯は１ないし複数の高さの各種。歯が長方形の場合は、挿し込む向きを縦にするか横にするかで高さを調整する。または２枚の歯を下板の対辺に据え付け、または棒状の副支柱を下板の四隅に付けて、折り畳めるようにして、ストッパーで固定して高さを調整する「請求項１」の台。
【請求項１３】
「請求項１」から「請求項９」までの場合において、台の上板の爪先部分に足の指を引掛けられるように、その爪先部分を指の付根に沿って斜めにした「請求項１」の台。
【請求項１４】
「請求項１」から「請求項９」までの場合において、上板の表面は密着感があって、細かいイボ状の突起を付け、土踏まず部分を丘状にし、便秘解消のツボを心理的に刺激する「請求項１」の台。
【発明の詳細な説明】
【技術分野】
【０００１】  この発明は、便器と合体した足載せ台、および便器の前方から後方にマスク状に着脱するコルセット状の装着品、便器から分割した単体の足載せ台に関するもので、材料は、陶器・合成樹脂・木材・金属・強化発泡スチロールなど、部位に最適なものを使用する。
【背景技術】
【０００２】  従来の和洋両用便器は便座の高さに足載せの台を固定したものであり、いちじるしく不安定感を伴い、実用には適しない。（例えば、特許文献１参照）
本来、洋式の便器は、椅子に腰掛ける姿勢をとるため、力みにくく、和式の便器は、力みやすいが、水洗の飛沫で便器の周囲や脚を汚すので、入念な清掃が必要であった。【０００３】
【特許文献１】  公開実用新案公報（Ｕ）昭６４−６８３号公報
【発明の開示】
【発明が解決しようとする課題】
【０００４】  従来、洋式便器と和式便器には、それぞれ次のような問題点があった。
洋式便器は、椅子に腰掛ける姿勢のため、力みにくく、そのため便秘になりやすい。和式水洗便器は排便しやすいため需要はあったが、大手企業は主に次の理由から住居用の製造を中止した。
長くかがんでいると疲れ、立つときにふらつき、時には手をついてしまうからであり、水洗の飛沫で便器の周囲や脚を汚すので、使用後、余分な手間がかかったからでもある。
子供用として、便器の前方の下部の床面に、一時的・便宜的に足を載せる箱状の台は、堅固さ・安全性、形状・硬さ・軽さ・スマートさ、収納性・機能性・衛生面などに問題点がある。
本発明は、以上のような欠点をなくすためになされたものである。
【発明を解決するための手段】
【０００５】  そこで本発明は、これらの欠点をなくすため、洋式便器の便座にふつうに腰掛けて、左右の台に足を載せ、和式便器の姿勢がとれることを目的とし、かつ、その手段として、簡便な方式によって解決することを目的とする。
【発明の効果】
【０００６】  この発明品の台の表面には足裏のツボを刺激して心理的に便意を促す凹凸があるので、従来の洋式便器にふつうに腰掛けて、左右の台に両足を載せるだけで、和式便器の姿勢をとることができ、自然に便意が促される。
さらに、用事の前に早めに済ませておきたいとき、便意を誘い出すこともできる。
洗浄するときは、台に足を載せたままでもよいし、台から足をおろしてもよい。
また、小用のついでに試みられるので、便秘の予防になる。
さらに次のような効果がある。
「請求項２」の発明品は、適度な大きさでスマートであり、安全でもある。
「請求項３」から「請求項６」までの発明品は使わないときは後方や下方に収まる。
「請求項９」の分割式の単体は、流通過程や在庫中、分解できるので、かさばらず、形状自体も小型で、意外性と可動性に富み、スマートで、単品として普及しやすい。
「請求項８」のコルセット状の装着品は、だれでも、従来の便器に簡単に着脱できる。
「請求項１０」の高さ調整用の歯は、かさばらず、流通・在庫・携行に便利である。
「請求項１３」の上板は、指を付根に沿って斜めに引っ掛けられるので、力みやすい。
「請求項１４」の上板は、土踏まずの部分にふくらみがあり、また、こまかいイボ状の突起があるので、ツボの刺激によって、心理的に便意が促される。
「請求項１」から「請求項１４」のすべてにおいて、清掃しやすいので、衛生面で、効果的である。
【発明を実施するための最良の形態】
【０００７】  洋式便器の便座にふつうに腰掛けて、左右の台に足を載せる。
台に足を載せてから腰を浮かせると、より便意が促される。
急ぐときや重症のときは、上体を前傾させると、さらに効果的である。
爪先を台の先端にかけて力を入れると、より効果的である。
来訪者があるときや、使わないときは、後部や下部、または見えない別の所に収める。
「請求項９」から「請求項１１」までの分割式の単体を置く方法は、簡便で、安価に、多くの人に利用できる。
「請求項１１」の折り畳む方式は、かさばらず、保管・流通・携行に便利である。
「請求項１２」の異なる高さの調整板（歯）は、かさばらず、保管・流通・携行にも便利であり、必要に応じて、挿し込みも引き抜きも、簡単にできる。
単体を家庭以外で使用する際は、紙を敷くか、下板を薄いポリ袋などで覆うか、敷く。
【実施例】
【０００８】  「請求項９」及び「請求項１１」の単体で、年齢・性別・世帯などの異なる場合に試みた結果、極めて使いやすく、「発明の効果」欄のような効果があった。
【産業上の利用可能性】
【０００９】  「請求項２」から「請求項６」までの台付きの洋式便器は、便器メーカーにおいて、必須の商品として、産業上の利用可能性が極めて高く、従来のふつうの便器と並んで、市場を一変させる可能性がある。
「請求項８」の従来の便器に着脱できるコルセット状の装着品は、一体成型品と単体との中間的な発明品として、産業上の利用可能性が極めて高い。
また「請求項９」から「請求項１２」の単体は、一般のメーカーでも、容易に製造・販売することが可能であり、分解や折り畳みができるため流通過程や在庫中においても、かさばることなく、かつ、安価に提供できる。消費者に対しては、構造が簡単なので、だれでも組み立てて利用することができることや、普及するまでの間、人目が気になる場合は、人目にふれないように収められることを、無意識のうちに知ってもらえる。
【図面の簡単な説明】
【０００１０】
【図１】  台の部分を網かけで示した一体成型の便器の斜視図である。
【図２】  使用時における可動式の台の側面図である。
【図３】  便器の左右の台を、水平に後部に動かして収めた側面図である。（矢印は、使用時に、動かす方向を示す。）
【図４】  台の後方を支点にして、水平に回転して収めた平面図である。（矢印は、使用時に、回転する方向を示す。）
【図５】  後方を支点にして、台を垂直方向に回転して収めた側面図である。（矢印は、使用時に、回転する方向を示す。）
【図６】  台の左右の内側を支点にして垂直に回転して収める正面図で、右側は使用するときの位置、左側は垂直に回転して収めた位置を示す。（矢印は、使用時に、回転する方向を示す。）
【図７】  台を便器の左右の床に直線的・曲線的に押し下げて収めた側面図である。（矢印は、使用時に、上げる方向を示す。）
【図８】  台を便器から分割して、便器の左右の床面に置く単体の斜視図である。
【図９】  台の上板・下板と支柱のそれぞれに、対の凹凸を付けて挿し込んで、固定する斜視図である。１はストッパーまたは粘着テープ。
【図１０】  支柱の先端を軸に、単体の上板と、同じ程度の大きさの下板を回転して折り畳むことができる単体の側面図である。（矢印は回転する方向を示す）
【図１１】  単体の上板と、同じ程度の大きさの下板を、回転式の棒状の副支柱で支える側面図である。２は副支柱。（下半分は断面図。矢印は回転する方向を示す）
【図１２】  単体の下板の裏底の溝に、高さ調整用の歯を挿し込んだ単体の斜視図である。３は高さを調整する歯。（上半分は〔図１１〕の２と支柱とを一体化して、中央部で挿し込むか折り畳む。）
【符号の説明】
【０００１１】１  ストッパーまたは両面粘着テープ
２  副支柱
３  高さ調整用の歯
【図１】
2005330800.tif 000003
【図２】
2005330800.tif 000004
【図３】
2005330800.tif 000005
【図４】
2005330800.tif 000006
【図５】
2005330800.tif 000007
【図６】
2005330800.tif 000008
【図７】
2005330800.tif 000009
【図８】
2005330800.tif 000010
【図９】
2005330800.tif 000011
【図１０】
2005330800.tif 000012
【図１１】
2005330800.tif 000013
【図１２】
2005330800.tif 000014